(57)【要約】【課題】患者と医療機関との間で双方向に情報を送信することで、医療に関連する各種のサービスを患者に提供する。【解決手段】医療システム１は、医療機関の患者が所有し、データを送受信する機能、及び患者の医療上の個人情報を含むデータを保持する機能を備える移動機２と、患者情報データベース５０に登録されたデータに基づいて患者に相応しい医療サービス情報を医療サービス情報データベース５１の中から検索し、移動機２に配信する患者情報サーバ６０と、医療機関に設置され、医療機関に出向いた患者の移動機２に保持された患者情報を読み取ることで患者を認識し、当該患者が医療機関にて受診した診察履歴または健康診断履歴の患者情報データベース５０への登録を患者情報サーバ６０に指示する診察受付装置３とを有する。【選択図】      図１
2004185296.tif 000002
【特許請求の範囲】
【請求項１】
医療機関の患者が所有し、ネットワークを介して各種のデータを送受信する機能及び各種のデータを保持する機能を備える移動機と、
各種の医療サービス情報が登録された医療サービス情報データベース、及び前記患者の医療上の個人情報である患者情報が登録された患者情報データベースの管理を行うとともに、前記患者情報データベースに登録された患者情報に基づいて前記患者に相応しい医療サービス情報を前記医療サービス情報データベースの中から検索し、検索した医療サービス情報を前記ネットワークを介して前記移動機に配信する患者情報サーバと、
前記医療機関に設置され、前記患者が前記医療機関に出向いた時に前記移動機に保持されたデータを読み取ることで前記患者を認識し、認識した患者が前記医療機関にて受診した診察履歴または健康診断履歴を前記患者情報として前記患者情報データベースに登録する旨を、前記患者情報サーバに指示する診察受付装置とを有することを特徴とする医療システム。
【請求項２】
請求項１に記載の医療システムにおいて、
前記医療サービス情報データベースが前記医療機関における健康診断に関する情報が登録されたデータベースであり、
前記患者情報サーバは、前記医療サービス情報データベースに登録された情報に基づく前記医療機関における健康診断の案内通知を前記ネットワークを介して前記移動機に配信するとともに、前記移動機から前記ネットワークを介して前記医療機関における健康診断の予約を受付けることを特徴とする医療システム。
【請求項３】
請求項１に記載の医療システムにおいて、
前記医療サービス情報データベースが前記医療機関における診察に関する情報が登録されたデータベースであり、
前記患者情報サーバは、前記医療サービス情報データベースに登録された情報に基づく前記医療機関における診察予約の案内通知を前記ネットワークを介して前記移動機に配信するとともに、前記移動機から前記ネットワークを介して前記医療機関における診察の予約を受付けることを特徴とする医療システム。
【請求項４】
請求項１に記載の医療システムにおいて、
前記医療サービス情報データベースが前記医療機関における医薬品に関する情報が登録されたデータベースであり、
前記診察受付装置は、前記患者が前記医療機関から提供を受けた医薬品の情報を前記患者情報として前記患者情報データベースに登録する旨を、前記患者情報サーバに指示し、
前記患者情報サーバは、前記移動機から前記患者の服用薬の問合せを受けた場合に、前記医療サービス情報データベースに基づく服用薬の回答情報を前記ネットワークを介して前記移動機に配信することを特徴とする医療システム。
【請求項５】
請求項１に記載の医療システムにおいて、
前記診察受付装置は、前記患者が前記医療機関にて相談を受けた相談履歴を前記患者情報として前記患者情報データベースに登録する旨を、前記患者情報サーバに指示することを特徴とする医療システム。
【請求項６】
請求項１に記載の医療システムにおいて、
前記ネットワークに接続された決済機関を有し、
前記患者情報サーバは、前記医療機関にて前記患者の診察または健康診断が終了した時に、前記決済機関から診察または健康診断の費用を引き落とすことを特徴とする医療システム。
【発明の詳細な説明】
【０００１】
【発明の属する技術分野】
本発明は、医療機関の患者に対して各種のサービスを提供するための医療システムに関する。
【０００２】
【従来の技術】
近年、病院等の医療機関においては、ＩＣカード等を使用して患者本人の認証を安全かつ確実に行うことが多くなってきており、このようなＩＤカードを応用した医療システムが数多く提案されている（例えば、特許文献１，２参照）。
【０００３】
この種の医療システムにおいては、病院等の医療機関において、ＩＤカードに記録された情報を読出し、読み出した情報に基づき患者の情報を管理している。また、医療機関において、患者のＩＤカードを読み込んだＰＣ等の端末に対し、その患者に関する各種のメッセージを送信することが可能である。
【０００４】
【特許文献１】
特開平１１−７３４６３号公報
【特許文献２】
特開２００２−４１６５２号公報
【０００５】
【発明が解決しようとする課題】
しかしながら、上述したような従来の医療システムにおいては、医療機関から患者に対し一方向に情報を発信するだけであり、関連するサービス（患者から医療機関へ向かう情報）には結びつかないため、例えば、定期健康診断や診察の予約等を行うことができないという問題点がある。
【０００６】
そこで本発明の目的は、患者と医療機関との間で双方向に情報を送信することで、医療に関連する各種のサービスを患者に提供することができる医療システムを提供することにある。
【０００７】
【課題を解決するための手段】
上記目的を達成するために本発明の医療システムは、
医療機関の患者が所有し、ネットワークを介して各種のデータを送受信する機能及び各種のデータを保持する機能を備える移動機と、
各種の医療サービス情報が登録された医療サービス情報データベース、及び前記患者の医療上の個人情報である患者情報が登録された患者情報データベースの管理を行うとともに、前記患者情報データベースに登録された患者情報に基づいて前記患者に相応しい医療サービス情報を前記医療サービス情報データベースの中から検索し、検索した医療サービス情報を前記ネットワークを介して前記移動機に配信する患者情報サーバと、
前記医療機関に設置され、前記患者が前記医療機関に出向いた時に前記移動機に保持されたデータを読み取ることで前記患者を認識し、認識した患者が前記医療機関にて受診した診察履歴または健康診断履歴を前記患者情報として前記患者情報データベースに登録する旨を、前記患者情報サーバに指示する診察受付装置とを有することを特徴とする。
【０００８】
この場合、前記医療サービス情報データベースが前記医療機関における健康診断に関する情報が登録されたデータベースであり、
前記患者情報サーバは、前記医療サービス情報データベースに登録された情報に基づく前記医療機関における健康診断の案内通知を前記ネットワークを介して前記移動機に配信するとともに、前記移動機から前記ネットワークを介して前記医療機関における健康診断の予約を受付けることとしても良い。
【０００９】
また、前記医療サービス情報データベースが前記医療機関における診察に関する情報が登録されたデータベースであり、
前記患者情報サーバは、前記医療サービス情報データベースに登録された情報に基づく前記医療機関における診察予約の案内通知を前記ネットワークを介して前記移動機に配信するとともに、前記移動機から前記ネットワークを介して前記医療機関における診察の予約を受付けることとしても良い。
【００１０】
また、前記医療サービス情報データベースが前記医療機関における医薬品に関する情報が登録されたデータベースであり、
前記診察受付装置は、前記患者が前記医療機関から提供を受けた医薬品の情報を前記患者情報として前記患者情報データベースに登録する旨を、前記患者情報サーバに指示し、
前記患者情報サーバは、前記移動機から前記患者の服用薬の問合せを受けた場合に、前記医療サービス情報データベースに基づく服用薬の回答情報を前記ネットワークを介して前記移動機に配信としても良い。
【００１１】
また、前記診察受付装置は、前記患者が前記医療機関にて相談を受けた相談履歴を前記患者情報として前記患者情報データベースに登録する旨を、前記患者情報サーバに指示することとしても良い。
【００１２】
また、前記ネットワークに接続された決済機関を有し、
前記患者情報サーバは、前記医療機関にて前記患者の診察または健康診断が終了した時に、前記決済機関から診察または健康診断の費用を引き落とすこととしても良い。
【００１３】
【発明の実施の形態】
以下に、本発明の実施の形態について図面を参照して説明する。なお、本発明に係る医療機関とは、病院、診療所、各種保健施設等を想定しており、また、本発明に係る医療機関の患者とは、当該医療機関で過去に診察または健康診断等を受けたことがある患者を想定しており、その患者が当該医療機関で現在も継続して診察または健康診断等を受けているか否かは問わない。
【００１４】
図１は、本発明の医療システム１の概略構成を示す図である。
【００１５】
図１を参照すると、本発明の医療システム１は、医療機関の患者が所持する移動機２と、医療機関の入口などに設置された診察受付装置３と、診察受付装置３にＬＡＮ等の内部ネットワークを介して接続された患者情報サーバ６０を含む医療情報発信部４とを有している。
【００１６】
移動機２は、移動体通信ネットワーク８０及び通信ネットワーク７０を介して患者情報サーバ６０との間で各種のデータを送受信する機能や、各種のデータを保持する機能を少なくとも備えている。なお、移動機２にて保持されるデータとは、移動機２の患者の医療上の個人情報等である。
【００１７】
医療情報発信部４は、患者の医療上の個人情報（医療機関における患者のＩＤ番号等）が登録された患者情報データベース５０と、各種の医療サービス情報（医療機関における定期健康診断や診察に関する情報等）が登録された医療サービス情報データベース５１と、患者情報データベース５０及び医療サービス情報データベース５１の管理を行うとともに、患者情報データベース５０に登録された患者情報に基づいて患者に相応しい医療サービス情報を医療サービス情報データベース５１から検索し、通信ネットワーク７０及び移動体通信ネットワーク８０を介して移動機２に配信する患者情報サーバ６０とを有している。
【００１８】
診察受付装置３は、患者が医療機関に出向いた時に移動機２に保持されたデータを読み取ることで患者を認識し、その患者が医療機関にて診察または健康診断を受診した場合に、診察履歴または健康診断履歴の患者情報データベース５０への登録を患者情報サーバ６０に指示する。
【００１９】
ここで、移動機２及び診察受付装置３の内部構成について説明する。
【００２０】
図２は、図１に示した医療システム１の移動機２及び診察受付装置３の内部構成を説明するブロック図である。
【００２１】
図２を参照すると、移動機２は、移動体通信ネットワーク８０を介して他の移動機との間で音声通話を行う機能、移動体通信ネットワーク８０及び通信ネットワーク７０を介して患者情報サーバ６０との間でデータの送受信を行う機能、及びデータを表示する機能等を備える携帯電話部１０と、携帯電話部１０に一体的に集積回路として組み込まれ、メモリ３２からのデータの読み出しやメモリ３２へデータの書き込みを行う機能、携帯電話部１０や診察受付装置３との間でデータの送受信を行う機能等を備える個人情報制御部３０とを有している。
【００２２】
移動機２の携帯電話部１０は、制御部１１と、アンテナ１２と、無線送受信部１３と、音声変換回路１４と、スピーカ１５と、マイク１６と、メッセージ通信部１７と、キー操作部１８と、表示部１９と、メモリ２０とを有している。
【００２３】
無線送受信部１３は、音声変換回路１４またはメッセージ通信部１７から入力される送信データを所定の無線周波数の送信信号に周波数変換してアンテナ１２から移動体通信ネットワーク８０へ無線送信すると共に、アンテナ１２により移動体通信ネットワーク８０から受信した受信信号を周波数変換して、音声変換回路１４またはメッセージ通信部１７へ出力する。
【００２４】
音声変換回路１４は、図示しない音声変換のためのコーディック部分及び時分割接続処理部分等を備えており、無線送受信部１３で受信した音声信号をスピーカ１５へ出力すると共に、マイク１６から入力した音声を送信信号として無線送受信部１３へ出力する。
【００２５】
メッセージ通信部１７は、移動体通信ネットワーク８０または患者情報サーバ６０等に対する情報のリクエストを送信信号に編成して無線送受信部１３へ出力すると共に、上記のリクエストに対する回答を無線送受信部１３で受信した場合、その回答を表示部１９へ出力するための処理を行う。
【００２６】
キー操作部１８は、各種操作のために、文字や英数字を入力するためのキー等を備える部分である。
【００２７】
表示部１９は、白黒またはカラー表示の液晶表示部分を備えており、キー操作部１８で入力された文字や選択のためのメニュー、あるいは無線送受信部１３で受信したデータなどを表示する部分である。
【００２８】
メモリ２０は、個人情報制御部３０から読み出したデータや、医療情報発信部４の医療サービス情報データベース５１から無線送受信部１３が受信・取得したデータ、あるいは個人情報制御部３０に書き込むためのデータを一時的に記憶する部分である。
【００２９】
制御部１１は、上記の各部を制御すると共に、送受信データや制御データ等を転送制御する部分である。
【００３０】
移動機２の個人情報制御部３０は、例えば外部からの不正アクセス等に対して十分な耐性を備え、寸法が２０ｍｍ×２５ｍｍ程度の集積回路である。この個人情報制御部３０は、インターフェース回路３１と、メモリ３２と、制御部３３と、通信制御部３４と、アンテナ３５とを有している。
【００３１】
インターフェース回路３１は、個人情報制御部３０の制御部３３と携帯電話部１０の制御部１１との間にあって、メモリ３２に書き込むデータやメモリ３２から読み出したデータを送受信するための回路である。
【００３２】
制御部３３は、メモリ３２に記憶されているルーチンによりデータの読み出しあるいは書き込み等の処理を実行する部分である。
【００３３】
通信制御部３４は、個人情報制御部３０のアンテナ３５と診察受付装置３のアンテナ４４との無線結合により、診察受付装置３からの無線による非接触での送信に呼応して処理を開始し、データの送受信を制御する部分である。
【００３４】
アンテナ３５は、診察受付装置３のアンテナ４４との無線結合に適したコイルである。
【００３５】
メモリ３２は、診察受付装置３への送信に関する処理を行うルーチンを記憶する記憶領域の他、予約内容記憶領域、診察内容記憶領域等の記憶領域を備える。
【００３６】
診察受付装置３は、カードリーダ／ライタ４１と、インターフェース回路４２と、制御部４３と、アンテナ４４と、メモリ４５とを有している。
【００３７】
カードリーダ／ライタ４１は、診察受付装置３のアンテナ４４と個人情報制御部３０のアンテナ３５との無線結合により、個人情報制御部３０のメモリ３２内のデータを読み取るための制御を行うと共に、個人情報制御部３０のメモリ３２にデータを書き込むための制御を行う部分である。
【００３８】
インターフェース回路４２は、カードリーダ／ライタ４１と制御部４３との間にあって、メモリ４５に書き込むデータやメモリ４５から読み出したデータを送受信するための回路である。
【００３９】
メモリ４５は、診察受付装置３を制御するためのルーチン、及び診察受付装置３の状態あるいは利用状況等を記憶する部分である。
【００４０】
制御部４３は、メモリ４５に記憶されているルーチンにより、個人情報制御部３０のメモリ３２に書き込まれている患者情報を判断し、その患者に相応しい医療情報を患者へ提供するための制御を行う。
【００４１】
アンテナ４４は、移動機２の個人情報制御部３０のアンテナ３５との無線結合に適したコイルである。
【００４２】
以下、具体的な実施例により、本発明をさらに詳細に説明するが、本発明はこれらの実施例に限定されるものではないことは言うまでもない。
【００４３】
（第１の実施例）
図３は、本発明の第１実施例による医療システム１のネットワーク構成を説明するブロック図である。
【００４４】
図３を参照すると、本発明の第１実施例による医療システム１は、移動機２と、診察受付装置３と、医療情報発信部４とを有している。
【００４５】
移動機２は、図２と同様の携帯電話部１０と、該携帯電話部１０に一体的に集積回路として組み込まれた個人情報制御部３０とを有している。
【００４６】
診察受付装置３は、図２と同様のアンテナ４４と、カードリーダ／ライタ４１と、インターフェース回路４２と、制御部４３と、メモリ４５とを有している。
【００４７】
移動機２を含む移動体通信ネットワーク８０は、基地局８２と、交換機８３と、情報転送システム８４と、ゲートウェイ８５とから構成されており、通信ネットワーク７０に接続されている。また、通信ネットワーク７０には、患者情報サーバ６０及び銀行等の決済機関９０が接続されている。
【００４８】
患者情報サーバ６０は、患者の医療上の個人情報（医療機関における患者のＩＤ番号、定期健康診断の履歴等）が登録された患者情報データベース５０と、医療機関における定期健康診断に関する情報（医療機関における定期健康診断内容の種類、実施日時、予約状況等）が登録された定期診断情報データベース５２（図１及び図２の医療サービス情報データベース５１に相当）とを管理する。具体的には、患者情報サーバ６０は、定期診断情報データベース５２に登録された情報に基づく定期健康診断案内通知を、通信ネットワーク７０及び移動体通信ネットワーク８０を介して移動機２に配信する。また、患者情報サーバ６０は、診察受付装置３にて認識された移動機２の患者が医療機関にて定期健康診断を受診した場合に、診察受付装置３からの指示を受けて移動機２の患者の定期健康診断履歴を患者情報データベース５０に登録する。
【００４９】
また、患者情報サーバ６０は、医療機関にて患者の定期健康診断が終了した時に、決済機関９０から定期健康診断の費用を引き落とすことも可能である。
【００５０】
なお、図３に示した基地局８２、交換機８３、情報転送システム８４、ゲートウェイ８５、及び通信ネットワーク７０は、当業者にとってよく知られており、また本発明とは直接関係しないので、その詳細な構成の説明は省略する。
【００５１】
以下に、図３に示した本発明の第１の実施例による医療システム１の動作について、図４のフローチャートを参照して説明する。
【００５２】
移動機２に電源が投入されると（ステップ４０１）、移動体通信ネットワーク８０側では、所定の手順に従って移動機２の認証が行われる（ステップ４０２）。
【００５３】
次に、患者情報サーバ６０側では、患者情報データベース５０から移動機２の患者の定期健康診断履歴を検索し、移動機２の患者が過去に定期健康診断を受診してから一定時間経過している場合に、定期診断情報データベース５２に登録された情報に基づく定期健康診断案内を、通信ネットワーク７０及び移動体通信ネットワーク８０を介して移動機２に配信する。そのために、患者情報サーバ６０側では、まず、定期診断情報データベース５２から現在案内している定期健康診断を検索し、その定期健康診断情報を移動体通信ネットワーク８０に送信する（ステップ４０３）。この定期健康診断情報には、定期健康診断内容の種類等の情報が含まれる。
【００５４】
次に、移動体通信ネットワーク８０側では、定期健康診断申込み用の階層状メニューの初期画面を移動機２に送信する（ステップ４０４）。
【００５５】
移動機２側では、ステップ４０４で移動体通信ネットワーク８０から送信されてきた画面が表示部１９に表示される。ここで、移動機２側において、移動機２の患者によるキー操作部１８のキー操作により、定期健康診断の申込みが選択されたとする（ステップ４０５）。
【００５６】
すると、ステップ４０５での移動機２の選択結果が移動体通信ネットワーク８０に送信され、続いて、移動体通信ネットワーク８０側では、現在案内している定期健康診断内容の種類として、例えば、「成人病健診」、「婦人病健診」、「人間ドック」が掲載された画面を移動機２に送信する（ステップ４０６）。
【００５７】
次に、移動機２側では、ステップ４０６で移動体通信ネットワーク８０から送信されてきた画面が表示部１９に表示される。ここで、移動機２側において、移動機２の患者によるキー操作部１８のキー操作により、「成人病健診」が選択されたとする（ステップ４０７）。
【００５８】
すると、ステップ４０７での移動機２の選択結果が移動体通信ネットワーク８０を介して患者情報サーバ６０に送信され、続いて、患者情報サーバ６０側では、定期診断情報データベース５２から「成人病健診」の空き日時を検索し、その空き日時情報を移動体通信ネットワーク８０に送信する（ステップ４０８）。
【００５９】
次に、移動体通信ネットワーク８０側では、ステップ４０８で患者情報サーバ６０から送信されてきた「成人病健診」の空き日時情報を移動機２における表示に適したデータに加工し、例えば、空き日時情報として、「８月２０日（火）午前」、「８月２２日（木）午前」、「８月２２日（木）午後」、「８月２３日（金）午前」が掲載された画面を移動機２に送信する（ステップ４０９）。
【００６０】
次に、移動機２側では、ステップ４０９で移動体通信ネットワーク８０から送信されてきた画面が表示部１９に表示される。ここで、移動機２側において、移動機２の患者によるキー操作部１８のキー操作により、「成人病健診」の受診希望日時として「８月２２日（木）午後」が選択されたとする（ステップ４１０）。
【００６１】
すると、ステップ４１０での移動機２の選択結果が移動体通信ネットワーク８０を介して患者情報サーバ６０に送信され、続いて、患者情報サーバ６０側では、ステップ４０７，４１０で選択された定期健康診断の希望種類及び希望受診日時の情報、すなわち、「成人病健診：８月２２日（木）午後」の情報が掲載された予約内容の確認画面を、移動体通信ネットワーク８０を介して移動機２に送信する（ステップ４１１）。
【００６２】
次に、移動機２側では、ステップ４１１で移動体通信ネットワーク８０から送信されてきた画面が表示部１９に表示される。ここで、移動機２側において、移動機２の患者によるキー操作部１８のキー操作により、「成人病健診：８月２２日（木）午後」の予約内容で定期健康診断の予約が選択されたとする（ステップ４１２）。
【００６３】
すると、ステップ４１２での移動機２の選択結果が移動体通信ネットワーク８０を介して患者情報サーバ６０に送信され、続いて、患者情報サーバ６０側では、最初に、「只今から予約に基づいて８月２２日（木）午後の成人病健診の鍵を送付します」という文章が掲載された画面を移動体通信ネットワーク８０を介して移動機２に送信する。次に、患者情報サーバ６０側では、移動機２の所持者が診察受付装置３で使用する電子鍵を発行し、発行した電子鍵及び予約内容のデータを移動体通信ネットワーク８０を介して移動機２に送信する。更に、患者情報サーバ６０側では、「鍵の受領確認後、ボタンを押して受領確認をしてください」という文章が掲載された画面を移動体通信ネットワーク８０を介して移動機２に送信する（ステップ４１３）。
【００６４】
すなわち、移動機２側では、ステップ４１２で予約を選択すると、「只今から予約に基づいて８月２２日（木）午後の成人病健診の鍵を送付します」という文章が掲載された画面が表示部１９に表示され、続いて、「鍵の受領確認後、ボタンを押して受領確認をしてください」という文章が掲載された画面が表示部１９に表示される。ここで、移動機２側において、患者情報サーバ６０からの予約内容及び電子鍵のデータを受信した時にボタンを押して電子鍵の受領確認を行うと（ステップ４１４）、その受領確認データが移動体通信ネットワーク８０を介して患者情報サーバ６０に送信される。続いて、移動機２側では、患者情報サーバ６０から受信した予約内容及び電子鍵のデータが一旦メモリ２０に記録され、続いて、制御部１１の制御の元にメモリ２０のデータが読み出され、読み出されたデータが個人情報制御部３０のインターフェース回路３１から制御部３３に取り込まれ、続いてメモリ３２に記録される（ステップ４１５）。
【００６５】
一方、患者情報サーバ６０側では、ステップ４１４で移動機２から送信されてきた受領確認データを受信すると、定期診断情報データベース５２に予約内容のデータを登録すると共に（ステップ４１６）、電子鍵及び予約内容のデータを診察受付装置３に送信する（ステップ４１７）。そして、診察受付装置３側では、患者情報サーバ６０から受信した予約内容及び電子鍵のデータが制御部４３に取り込まれ、続いてメモリ４５に記録される（ステップ４１８）。
【００６６】
移動機２の患者は、予約日時になると、診察受付装置３が設置された医療機関に出向き、個人情報制御部３０のアンテナ３５を診察受付装置３のアンテナ４４が設けられた通信エリア内にかざすことで診察受付装置３にアクセスする（ステップ４１９）。それにより、個人情報制御部３０のアンテナ３５と診察受付装置３のアンテナ４４との無線結合により通信が開始される。
【００６７】
次に、診察受付装置３側では、カードリーダ／ライタ４１が個人情報制御部３０内のメモリ３２に記録された患者の個人情報、定期健康診断の予約内容、その予約時に受領した電子鍵等のデータを読み出し、インターフェース回路４２を介して制御部４３で取り込む。制御部４３では、個人情報制御部３０内のメモリ３２から取り込んだデータとメモリ４５に記録されているデータとに基づいて、その患者を認識するとともに、移動機２が正しいか、予約内容及び電子鍵が正しい等を判断する。制御部４３では、これらが正しいと判断すると、移動機２の患者の受診終了後に、診断内容や診断結果等の情報を患者情報サーバ６０に送信し（ステップ４２０）、患者情報データベース５０への登録を指示し、患者情報サーバ６０側では、診察受付装置３から受信した情報を患者の新たな定期健康診断履歴として患者情報データベース５０に記録する（ステップ４２１）。
【００６８】
一方、移動機２側では、移動機２の患者の受診終了後に、移動機２の患者によるキー操作部１８のキー操作により、診察・診断代金の支払いメニューの呼び出しが選択されたとする（ステップ４２２）。
【００６９】
すると、ステップ４２２での移動機２の選択結果が移動体通信ネットワーク８０に送信され、続いて、移動体通信ネットワーク８０側では、診察・診断代金の支払いメニューの初期画面を移動機２に送信する（ステップ４２３）。
【００７０】
次に、移動機２側では、ステップ４２３で移動体通信ネットワーク８０から送信されてきた画面が表示部１９に表示される。ここで、移動機２側において、移動機２の患者によるキー操作部１８のキー操作により、「精算書の要求」が選択されたとする（ステップ４２４）。
【００７１】
すると、ステップ４２４での移動機２の選択結果が移動体通信ネットワーク８０を介して患者情報サーバ６０に送信され、続いて、患者情報サーバ６０側では、予約情報データベース５３から予約内容を検索するとともに定期健診情報データベース５２から診断内容を検索し、予約内容及び診断内容に基づき診断料金を精算し、項目別の精算表を含む請求書を移動体通信ネットワーク８０を介して移動機２側に送信する（ステップ４２５）。
【００７２】
その後、移動機２側で、ステップ４２５で移動体通信ネットワーク８０から送信されてきた請求書を表示部１９に表示して、請求書の受領確認を行うと（ステップ４２６）、その受領確認データが移動体通信ネットワーク８０に送信される（ステップ４２７）。なお、請求金額の支払いは、医療機関の受付等において現金で行うことができるが、例えば、患者情報サーバ６０が、患者が予め指定した決済機関９０から引き落とすこととしても良い。
【００７３】
上述したように本実施例においては、患者が移動機２を用いて医療機関の定期健康診断の予約を行うことができるとともに、定期健康診断の費用支払い時の面倒をなくすことができるという効果が得られる。
【００７４】
（第２の実施例）
図５は、本発明の第２実施例による医療システム１のネットワーク構成を説明する図である。なお、図５において、図３に対応する部分は同一の符号を付し、詳細な説明を省略する。
【００７５】
図５を参照すると、本発明の第２実施例による医療システム１は、第１の実施例と同様に、移動機２と、診察受付装置３と、医療情報発信部４とを有している。
【００７６】
移動機２は、図２と同様の携帯電話部１０と、該携帯電話部１０に一体的に集積回路として組み込まれた個人情報制御部３０とを有している。
【００７７】
診察受付装置３は、図２と同様のアンテナ４４と、カードリーダ／ライタ４１と、インターフェース回路４２と、制御部４３と、メモリ４５とを有している。
【００７８】
移動機２を含む移動体通信ネットワーク８０は、第１の実施例と同様の基地局８２と、交換機８３と、情報転送システム８４と、ゲートウェイ８５とから構成されており、通信ネットワーク７０に接続されている。また、通信ネットワーク７０には、患者情報サーバ６０及び銀行等の決済機関９０が接続されている。
【００７９】
患者情報サーバ６０は、患者の医療上の個人情報（医療機関における患者のＩＤ番号、診察履歴等）が登録された患者情報データベース５０と、医療機関における診察に関する情報（医療機関における診察内容の種類、予約状況等）が登録された予約情報データベース５３（図１及び図２の医療サービス情報データベース５１に相当）とを管理する。具体的には、患者情報サーバ６０は、予約情報データベース５３に登録された情報に基づく診察予約案内通知を、通信ネットワーク７０及び移動体通信ネットワーク８０を介して移動機２に配信する。また、患者情報サーバ６０は、診察受付装置３にて認識された移動機２の患者が医療機関にて診察を受診した場合に、診察受付装置３からの指示を受けて移動機２の患者の診察履歴を患者情報データベース５０に登録する。
【００８０】
また、患者情報サーバ６０は、医療機関にて患者の診察が終了した時に、決済機関９０から診察の費用を引き落とすことも可能である。
【００８１】
以下に、図５に示した本発明の第２の実施例による医療システムの動作について、図６のフローチャートを参照して説明する。
【００８２】
移動機２に電源が投入されると（ステップ６０１）、第１実施例と同様に、移動体通信ネットワーク８０では、所定の手順に従って移動機２の認証が行われる（ステップ６０２）。
【００８３】
次に、患者情報サーバ６０側では、予約情報データベース５３に登録された情報に基づく診察予約案内通知を、通信ネットワーク７０及び移動体通信ネットワーク８０を介して移動機２に配信する。ここでは、患者情報サーバ６０から通信ネットワーク７０を介して移動体通信ネットワーク８０に対し、医療機関の診察内容の種類等の情報が予め通知されており、移動体通信ネットワーク８０側から移動機２に診察予約案内通知を配信するものとする。そのために、移動体通信ネットワーク８０側では、まず、診察予約用の階層状メニューの初期画面を移動機２に送信する（ステップ６０３）。
【００８４】
移動機２側では、ステップ６０３で移動体通信ネットワーク８０から送信されてきた画面が表示部１９に表示される。ここで、移動機２側において、移動機２の患者によるキー操作部１８のキー操作により、診察受付装置３が設置された医療機関の名称である「ＸＹＺ病院」が選択されたとする（ステップ６０４）。
【００８５】
すると、ステップ６０４での移動機２の選択結果が移動体通信ネットワーク８０に送信され、続いて、移動体通信ネットワーク８０側では、「ＸＹＺ病院」の診察内容の種類として、例えば、「外科」、「整形外科」、「内科」、「耳鼻科」、「神経科」、「定期健診」が掲載された画面を移動機２に送信する（ステップ６０５）。
【００８６】
次に、移動機２側では、ステップ６０５で移動体通信ネットワーク８０から送信されてきた画面が表示部１９に表示される。ここで、移動機２側において、移動機２の患者によるキー操作部１８のキー操作により、「内科」が選択されたとする（ステップ６０６）。
【００８７】
すると、ステップ６０６での移動機２の選択結果が移動体通信ネットワーク８０に送信され、続いて、移動体通信ネットワーク８０側では、「内科」の希望受診日時の入力を促すプロンプト画面を移動機２に送信する（ステップ６０７）。
【００８８】
次に、移動機２側では、ステップ６０７で移動体通信ネットワーク８０から送信されてきた画面が表示部１９に表示される。ここで、移動機２側において、移動機２の患者によるキー操作部１８のキー操作により、希望受診日時として「８月２６日（月）１０；００」が入力されたとする（ステップ６０８）。
【００８９】
すると、ステップ６０８での移動機２の入力結果が移動体通信ネットワーク８０を介して患者情報サーバ６０に転送され、続いて、患者情報サーバ６０側では、予約情報データベース５３から「内科」の各担当医師の空き日時であって、患者が希望した「８月２６日（月）１０；００」以降の空き日時を検索し、その空き日時情報を移動体通信ネットワーク８０に送信する（ステップ６０９）。
【００９０】
次に、移動体通信ネットワーク８０側では、ステップ６０９で患者情報サーバ６０から送信されてきた「内科」の各担当医師の空き日時情報を移動機２における表示に適したデータに加工し、例えば、空き日時情報として、「８月２６日（月）午前：佐藤医師」、「８月２６日（月）午後：鈴木医師」、「８月２７日（火）午前：田中医師」、「８月２８日（水）午前：佐藤医師」、「８月２９日（木）午前：鈴木医師」が掲載された画面を移動機２に送信する（ステップ６１０）。
【００９１】
次に、移動機２側では、ステップ６１０で移動体通信ネットワーク８０から送信されてきた画面が表示部１９に表示される。ここで、移動機２側において、移動機２の患者によるキー操作部１８のキー操作により、「内科」の受診希望日時及び受診希望医師として「８月２６日（月）午後：鈴木医師」が選択されたとする（ステップ６１１）。
【００９２】
すると、ステップ６１１での移動機２の選択結果が移動体通信ネットワーク８０を介して患者情報サーバ６０に送信され、続いて、患者情報サーバ６０側では、ステップ６０６，６１１で選択された診察内容の希望種類、希望医師及び希望受診日時の情報、すなわち、「内科：８月２６日（月）午後１４時３０分：鈴木医師」の情報が掲載された予約内容の確認画面を、移動体通信ネットワーク８０を介して移動機２に送信する（ステップ６１２）。
【００９３】
次に、移動機２側では、ステップ６１２で移動体通信ネットワーク８０から送信されてきた画面が表示部１９に表示される。ここで、移動機２側において、移動機２の患者によるキー操作部１８のキー操作により、「内科：８月２６日（月）午後１４時３０分：鈴木医師」の予約内容で診察の予約が選択されたとする（ステップ６１３）。
【００９４】
すると、ステップ６１３での移動機２の選択結果が移動体通信ネットワーク８０を介して患者情報サーバ６０に送信され、続いて、患者情報サーバ６０側では、最初に、「只今から予約に基づいて８月２６日（月）午後１４時３０分の内科診察予約の鍵を送付します」という文章が掲載された画面を移動体通信ネットワーク８０を介して移動機２に送信する。次に、患者情報サーバ６０側では、移動機２の所持者が診察受付装置３で使用する電子鍵を発行し、発行した電子鍵及び予約内容のデータを移動体通信ネットワーク８０を介して移動機２に送信する。更に、患者情報サーバ６０側では、「鍵の受領確認後、ボタンを押して受領確認をしてください」という文章が掲載された画面を移動体通信ネットワーク８０を介して移動機２に送信する（ステップ６１４）。
【００９５】
すなわち、移動機２側では、ステップ６１３で予約を選択すると、最初に、「只今から予約に基づいて８月２６日（月）午後１４時３０分の内科診察予約の鍵を送付します」という文章が掲載された画面が表示部１９に表示され、続いて、「鍵の受領確認後、ボタンを押して受領確認をしてください」という文章が掲載された画面が表示部１９に表示される。ここで、移動機２側において、患者情報サーバ６０からの予約内容及び電子鍵のデータを受信した時にボタンを押して電子鍵の受領確認を行うと（ステップ６１５）、その受領確認データが移動体通信ネットワーク８０を介して患者情報サーバ６０に送信される。続いて、移動機２側では、患者情報サーバ６０から受信した予約内容及び電子鍵のデータが一旦メモリ２０に記録され、続いて、制御部１１の制御の元にメモリ２０のデータが読み出され、読み出されたデータが個人情報制御部３０のインターフェース回路３１から制御部３３に取り込まれ、続いてメモリ３２に記録される（ステップ６１６）。
【００９６】
一方、患者情報サーバ６０側では、ステップ６１５で移動機２から送信されてきた受領確認データを受信すると、予約情報データベース５３に予約内容のデータを登録すると共に（ステップ６１７）、電子鍵及び予約内容のデータを診察受付装置３に送信する（ステップ６１８）。そして、診察受付装置３側では、患者情報サーバ６０から受信した予約内容及び電子鍵のデータが制御部４３に取り込まれ、続いてメモリ４５に記録される（ステップ６１９）。
【００９７】
移動機２の患者は、予約日時になると、診察受付装置３が設置された医療機関に出向き、個人情報制御部３０のアンテナ３５を診察受付装置３のアンテナ４４が設けられた通信エリア内にかざすことで診察受付装置３にアクセスする（ステップ６２０）。それにより、個人情報制御部３０のアンテナ３５と診察受付装置３のアンテナ４４との無線結合により通信が開始される。
【００９８】
次に、診察受付装置３側では、カードリーダ／ライタ４１が個人情報制御部３０内のメモリ３２に記録された患者の個人情報、診察の予約内容、その予約時に受領した電子鍵等のデータを読み出し、インターフェース回路４２を介して制御部４３で取り込み。制御部４３では、個人情報制御部３０内のメモリ３２から取り込んだデータとメモリ４５に記録されているデータとに基づいて、その患者を認識するとともに、移動機２が正しいか、予約内容及び電子鍵が正しい等を判断する。制御部４３では、これらが正しいと判断すると、移動機２の患者の受診終了後に、診察結果や診察内容等の情報を患者情報サーバ６０に送信し（ステップ６２１）、患者情報データベース５０への登録を指示し、患者情報サーバ６０側では、診察受付装置３から受信した情報を患者の新たな診察履歴として患者情報データベース５０に登録する（ステップ６２２）。
【００９９】
一方、移動機２側では、移動機２の患者の受診終了後に、移動機２の患者によるキー操作部１８のキー操作により、診察・診断代金の支払いメニューの呼び出しが選択されたとする（ステップ６２３）。
【０１００】
すると、ステップ６２３での移動機２の選択結果が移動体通信ネットワーク８０に送信され、続いて、移動体通信ネットワーク８０側では、診察・診断代金の支払いメニューの初期画面を移動機２に送信する（ステップ６２４）。
【０１０１】
次に、移動機２側では、ステップ６２４で移動体通信ネットワーク８０から送信されてきた画面が表示部１９に表示される。ここで、移動機２側において、移動機２の患者によるキー操作部１８のキー操作により、「精算書の要求」が選択されたとする（ステップ６２５）。
【０１０２】
すると、ステップ６２５での移動機２の選択結果が移動体通信ネットワーク８０を介して患者情報サーバ６０に送信され、続いて、患者情報サーバ６０側では、予約情報データベース５３から予約内容を検索するとともに患者情報データベース５０から診察内容を検索し、予約内容及び診察内容に基づき診察料金を精算し、項目別の精算表を含む請求書を移動体通信ネットワーク８０を介して移動機２側に送信する（ステップ６２６）。
【０１０３】
その後、移動機２側で、ステップ６２６で移動体通信ネットワーク８０から送信されてきた請求書を表示部１９に表示して、請求書の受領確認を行うと（ステップ６２７）、その受領確認データが移動体通信ネットワーク８０に送信される（ステップ６２８）。なお、請求金額の支払いは、医療機関の受付等において現金で行うことができるが、例えば、患者情報サーバ６０が、患者が予め指定した決済機関９０から引き落とすこととしても良い。
【０１０４】
上述したように本実施例においては、患者が移動機２を用いて医療機関の診察予約を行うことができるとともに、診察費用の支払い時の面倒をなくすことができるという効果が得られる。
【０１０５】
なお、本発明においては、診察受付装置３側で、移動機２の患者が医療機関から提供を受けた医薬品の情報を患者情報データベース５０へ登録するよう患者情報サーバ６０に指示することとし、さらに、患者情報サーバ６０側で、医療機関における医薬品に関する情報が登録された医薬品データベース（図１及び図２の医療サービス情報データベース５１に相当）を設けることとしても良い。
【０１０６】
このような構成とした場合、患者情報サーバ６０側では、移動機２の患者から服用している医薬品に対する問い合わせを受けた時に、患者情報データベース５０に登録された情報を基に患者が服用している医薬品を確認し、その医薬品に関する詳細な情報（医薬品の種類、成分等）を上述の医薬品データベースから検索し、患者からの問合せに対して的確な回答情報を通信ネットワーク７０及び移動体通信ネットワーク８０を介して配信することができるという効果が得られる。また、担当医師の医薬品に関する説明が不足しているような場合にも、その説明をフィードバックすることができるため、患者の満足度の高い医療サービスを提供できるという効果が得られる。
【０１０７】
さらに、本発明においては、診察受付装置３側で、移動機２の患者が医療機関にて相談を受けた相談履歴（質問内容等）の患者情報データベース５０への登録を患者情報サーバ６０に指示することとしても良い。
【０１０８】
このような構成とした場合、医療機関では、患者の診察を行う際に、患者情報データベース５０に登録された相談履歴を参考データとし、患者のより詳しい情報を得ることができるという効果が得られる。例えば、患者がどのような心配をしている等、診察の時とは違う確度から患者の容態を知ることができるため、よりきめの細かい医療サービスを提供できるという効果が得られる。
【０１０９】
【効果の説明】
本発明は以上説明したように構成されているため、以下に記載するような効果を奏する。
【０１１０】
第１の効果は、患者が所持する移動機において、ネットワークを介して各種のデータを送受信する機能及び各種のデータを保持する機能を備えているため、患者は健康診断案内通知や診察予約案内通知の受取りだけでなく、健康診断や診察の予約も手元でできるということである。
【０１１１】
第２の効果は、診察受付装置において、移動機に保持されたデータを読み取ることで患者を認識し、患者情報サーバにおいて、診察受付装置にて認識された患者の診断履歴等を患者情報として登録し、患者情報に基づき患者に相応しい医療サービス情報を移動機に配信しているため、患者に対しきめの細かいサービスを提供できる上、この患者の囲い込みを行うことができるということである。
【図面の簡単な説明】
【図１】本発明の医療システムの概略構成を説明する図である。
【図２】図１に示した移動機及び診察受付装置の内部構成を説明するブロック図である。
【図３】本発明の第１の実施例による医療システムのネットワーク構成を説明するブロック図である。
【図４】本発明の第１の実施例による医療システムの一動作例を説明するフローチャートである。
【図５】本発明の第２の実施例による医療システムのネットワーク構成を説明するブロック図である。
【図６】本発明の第２の実施例による医療システムの一動作例を説明するフローチャートである。
【符号の説明】
１    医療システム
２    移動機
３    診察受付装置
４    医療情報発信部
１０  携帯電話部
１１  制御部
１２  アンテナ
１３  無線送受信部
１４  音声変換回路
１５  スピーカ
１６  マイク
１７  メッセージ通信部
１８  キー操作部
１９  表示部
２０  メモリ
３０  個人情報制御部
３１  インターフェース回路
３２  メモリ
３３  制御部
３４  通信制御部
３５  アンテナ
４１  カードリーダ／ライタ
４２  インターフェース回路
４３  制御部
４４  アンテナ
４５  メモリ
５０  患者情報データベース
５１  医療サービス情報データベース
５２  定期診断情報データベース
５３  予約情報データベース
６０  患者情報サーバ
７０  通信ネットワーク
８０  移動体通信ネットワーク
８１  アンテナ
８２  基地局
８３  交換機
８４  情報転送システム
８５  ゲートウェイ
９０  決済機関
【図１】
2004185296.tif 000003
【図２】
2004185296.tif 000004
【図３】
2004185296.tif 000005
【図４】
2004185296.tif 000006
【図５】
2004185296.tif 000007
【図６】
2004185296.tif 000008